(57)【要約】【課題】インターネットのような情報通信ネットワーク上で電話通信を行う電話機やその利用者について、コマンド情報を通知し、不在時のコミュニケーションなどを確実に行えるようにする。【解決手段】情報通信ネットワーク２を介して他の電話機に対して発呼を行う際に、ネットワーク電話サービス手段に、発呼先の電話機から、通話要求先や通話要求時刻を指定するコマンド情報が登録されていれば、そのコマンド情報を受信する。通話要求先や通話要求時刻が指定されていれば、その指定に従ってアラームで報知したり、自動的にコールバックしたりして、コマンド情報を実行することができる。【選択図】      図１
2004172985.tif 000002
【特許請求の範囲】
【請求項１】
情報通信ネットワークに接続されて予め識別情報が割当てられる複数の電話機間に、電話通信に関するサービスを提供する電話通信サービス方法であって、
情報通信ネットワークに接続され、電話通信サービスが提供される電話機について、その利用者と識別情報とを含むように予め定められる事項を登録しておき、
情報通信ネットワークに接続された電話機から特定の相手に対するコマンド情報を受付けて登録し、
該電話機に対して、登録されている特定の相手の電話機からアクセスがある際に、該特定の相手の電話機に登録されたコマンド情報を送信することを特徴とする電話通信サービス方法。
【請求項２】
前記コマンド情報には、通話要求先情報または通話要求時刻情報のうちの少なくとも一方を含めることを特徴とする請求項１記載の電話通信サービス方法。
【請求項３】
情報通信ネットワークに接続されて予め識別情報が割当てられる複数の電話機間に、電話通信サービスを提供する電話通信システムであって、
情報通信ネットワークに接続され、電話通信サービスが提供される電話機について、その利用者と識別情報とを含むように予め定められる事項を登録する情報登録手段、およびその登録事項に関する情報を送受信する情報送受信手段を有する電話サービス手段を備え、
情報送受信手段は、情報通信ネットワークに接続される電話機から特定の相手に対するコマンド情報を受付け、
情報登録手段は、情報送受信手段が受付けたコマンド情報と該特定の相手とを該電話機についての登録事項に関連させて登録し、
情報送受信手段は、情報登録手段に登録されている特定の相手から該電話機に対する発呼を検出すると、発呼元の電話機に対して、情報登録手段に登録されているコマンド情報を送信し、
各電話機は、電話サービス手段の情報送受信手段から受信するコマンド情報の内容を実行するコマンド実行手段を有することを特徴とする電話通信システム。
【請求項４】
前記コマンド情報には、通話要求先情報または通話要求時刻情報のうちの少なくとも一方が含まれることを特徴とする請求項３記載の電話通信システム。
【請求項５】
情報通信ネットワークを介して電話通信を行う複数の電話機について各電話機とその利用者との識別情報とを含むように予め定められる事項を登録し、登録事項とともに、各電話機に対し、特定の相手が発呼する際に通知すべきコマンド情報が登録され、該電話機に該特定の相手の電話機からアクセスを行う際に、登録されているコマンド情報を送信する電話通信サービスが提供される電話機であって、
発呼時に、発呼先の電話機に対して登録されているコマンド情報が送信されるとき、該コマンド情報を受信する情報受信手段と、
情報受信手段によって受信されるコマンド情報の内容を実行するコマンド実行手段とを含むことを特徴とする電話機。
【請求項６】
前記情報受信手段が前記コマンド情報を受信するとき、受信したコマンド情報の内容を報知する情報報知手段をさらに含むことを特徴とする請求項５記載の電話機。
【請求項７】
前記コマンド情報に、通話要求先情報または通話要求時刻情報のうちの少なくとも一方が含まれているとき、前記情報報知手段は、通話要求先情報が含まれていれば該通話要求先の電話機に、通話要求時刻情報が含まれていれば該通話要求時刻に、通話要求時刻情報が含まれていなければ、該コマンド情報の受信時に、発呼を促す旨を報知することを特徴とする請求項６記載の電話機。
【請求項８】
前記コマンド情報に、通話要求先情報または通話要求時刻情報のうちの少なくとも一方が含まれているとき、前記コマンド実行手段は、通話要求先情報が含まれていれば該通話要求先の電話機に、通話要求時刻情報が含まれていれば該通話要求時刻に、通話要求時刻情報が含まれていなければ、該コマンド情報の受信時に、発呼を行うことを特徴とする請求項６記載の電話機。
【請求項９】
前記コマンド実行手段は、前記情報受信手段によって受信するコマンド情報が予め指定する相手からの要求であるときのみ、該コマンド情報の内容を実行することを特徴とする請求項５〜８のいずれかに記載の電話機。
【請求項１０】
情報通信ネットワークを介して電話通信を行う複数の電話機について、各電話機とその利用者との識別情報とを含むように予め定められる事項を記録し、記録されている事項を参照可能な情報記録手段をさらに含み、
前記予め指定する相手は、情報記録手段の記録事項に基づいて指定可能であることを特徴とする請求項９記載の電話機。
【発明の詳細な説明】
【０００１】
【発明の属する技術分野】
本発明は、インターネットなどの情報通信ネットワークを利用した電話通信サービス方法およびシステム、ならびに電話機に関する。
【０００２】
【従来の技術】
従来から、Ｐｕｂｌｉｃ  Ｓｗｉｔｃｈｅｄ  Ｔｅｌｅｐｈｏｎｅ  ＮｅｔｗｏｒｋからＰＳＴＮと呼ばれる公衆電話回線網を介して電話通信を行うための公衆電話サービスでは、各電話機はいずれかの交換局の交換機に加入者線を介して接続され、加入者線が接続される交換機に割当てられている電話番号のうちの１つがその電話機の電話番号として付与されている。相手の電話番号を指定して発呼すれば、相手が応答すると交互の電話通信が可能になる。不在中にかかってくる電話に対しては、応答することはできない。そこで、留守番機能を備える電話機が開発され、着呼に対して自動的に、予め録音されている音声メッセージを送出して応答し、後で再度発呼することを依頼したり、用件を録音したりすることが可能になっている。
【０００３】
近年、インターネット等の円滑な利用に必要な高速データ通信を、既設の加入者回線で可能にするため、ＤＳＬ（Ｄｉｇｉｔａｌ  Ｓｕｂｓｃｒｉｂｅｒ  Ｌｉｎｅ  ）技術が開発されている。ＡＤＳＬ（Ａｓｙｍｍｅｔｒｉｃ  ＤＳＬ）は、ＤＳＬ技術として実用化されている中でも代表的なものである。ＤＳＬ技術は、「ｘＤＳＬ」として包括的に表示され、スプリッタと呼ばれるフィルタで電話信号とデータ信号とを分離する。スプリッタで分離した電話信号を従来からの電話機などに接続すれば、従来の電話通信と全く同様に使用することができる。分離したデータ信号は、電話信号とは全く独立して利用することができる。すなわち、一般電話回線である従来の加入者回線にｘＤＳＬ技術を適用すれば、高速データ通信が可能なデジタル加入者線を比較的容易に実現することができる（たとえば、特許文献１参照）。
【０００４】
インターネットの利用は、インターネット経由で音声電話通信を行うことにも及んでいる。電話通信では、音声をデジタルデータのパケットに変換して、インターネットを利用して転送する。インターネット上でのデータ転送は、基本的に無料で行われるので、低コストの通信が可能になる。電話通信をインターネットを介して行うプロトコルとしては、ＶｏＩＰ（Ｖｏｉｃｅ  ｏｖｅｒ  Ｉｎｔｅｒｎｅｔ  Ｐｒｏｔｏｃｏｌ）が用いられる（たとえば特許文献２参照）。ＶｏＩＰを用いるインターネット経由の電話通信は、ＩＰアドレスと呼ばれるインターネット上のＩＰアドレスで相手を特定して行うことができる。しかしながらＩＰアドレスは、一般の電話利用者にとっては取扱い難く、またＶｏＩＰを用いる電話通信を行う利用者は、従来からＰＳＴＮ電話機も利用していることが多い。インターネット上ではＩＳＰ（Ｉｎｔｅｒｎｅｔ  Ｓｅｒｖｉｃｅ  Ｐｒｏｖｉｄｅｒ  ）と呼ばれる通信事業者のうちに、ＶｏＩＰを用いる電話通信が可能な電話機の利用者と契約し、ＰＳＴＮの電話番号をＩＰアドレスに変換して、電話番号で発呼先を指定する電話通信を可能にする電話サービスを提供する事業者が存在する。インターネット専用の電話番号を付与するサービスも提供される。
【０００５】
【特許文献１】
特開平１１−３０８３５２号公報
【特許文献２】
特開２００１−２３７８８８号公報
【０００６】
【発明が解決しようとする課題】
電話通信は、電話機の利用者同士が双方向的に、リアルタイムで通話を行えることが利点である。不在の相手などと電話連絡をとる場合は、音声メッセージ登録など、受動的で一方的な連絡方法となってしまう。不在時などで電話連絡をとる場合、留守メッセージなどの記録手段にメッセージを残して伝える方法が一般的である。しかしながらこの方法は、受動的で一方的な連絡方法であるうえに、発呼者側は必ずしもメッセージを残すわけではないので、コミュニケーションの手段としては不完全だといわざるを得ない。また、メッセージが相手に伝わったときの反応も、双方の時間的な問題があり、メッセージを残す方法は、確認を得るには必ずしも適当な方法ではない。
【０００７】
インターネットを経由する電話通信では、ＩＳＰによって種々のサービスの提供が可能であり、不在の相手などとのコミュニケーションをとることについても、新たな方法が可能であると期待される。
【０００８】
本発明の目的は、インターネットのような情報通信ネットワーク上で電話通信を行う電話機やその利用者について、コマンド情報を通知し、不在時のコミュニケーションなどを確実に行えるようにすることができる電話通信サービス方法およびシステム、ならびに電話機を提供することである。
【０００９】
【課題を解決するための手段】
本発明は、情報通信ネットワークに接続されて予め識別情報が割当てられる複数の電話機間に、電話通信に関するサービスを提供する電話通信サービス方法であって、
情報通信ネットワークに接続され、電話通信サービスが提供される電話機について、その利用者と識別情報とを含むように予め定められる事項を登録しておき、
情報通信ネットワークに接続された電話機から特定の相手に対するコマンド情報を受付けて登録し、
該電話機に対して、登録されている特定の相手の電話機からアクセスがある際に、該特定の相手の電話機に登録されたコマンド情報を送信することを特徴とする電話通信サービス方法である。
【００１０】
本発明に従えば、インターネットなどの情報通信ネットワークに接続される複数の電話機には、予め電話番号などの識別情報が割当てられ、相互間で識別情報に基づく電話通信が可能である。各電話機について、その利用者と識別情報とを含むように予め定められる事項を登録しておく。各電話機から特定の相手に対するコマンド情報を受付け、各電話機についての登録事項にコマンド情報や特定の相手についての情報を登録する。特定の相手からコマンド情報を登録した電話機に対する発呼があると、発呼元の電話機に対して、コマンド情報を送信するので、コマンド情報を容易かつ確実に特定の相手としての他の電話機利用者に伝えることができる。
【００１１】
また本発明で、前記コマンド情報には、通話要求先情報または通話要求時刻情報のうちの少なくとも一方を含めることを特徴とする。
【００１２】
本発明に従えば、たとえば不在時に連絡先などを通話要求先情報で通知したり、不在でなくなる予定時刻等を通話要求時刻情報で通知することができる。
【００１３】
さらに本発明は、情報通信ネットワークに接続されて予め識別情報が割当てられる複数の電話機間に、電話通信サービスを提供する電話通信システムであって、
情報通信ネットワークに接続され、電話通信サービスが提供される電話機について、その利用者と識別情報とを含むように予め定められる事項を登録する情報登録手段、およびその登録事項に関する情報を送受信する情報送受信手段を有する電話サービス手段を備え、
情報送受信手段は、情報通信ネットワークに接続される電話機から特定の相手に対するコマンド情報を受付け、
情報登録手段は、情報送受信手段が受付けたコマンド情報と該特定の相手とを該電話機についての登録事項に関連させて登録し、
情報送受信手段は、情報登録手段に登録されている特定の相手から該電話機に対する発呼を検出すると、発呼元の電話機に対して、情報登録手段に登録されているコマンド情報を送信し、
各電話機は、電話サービス手段の情報送受信手段から受信するコマンド情報の内容を実行するコマンド実行手段を有することを特徴とする電話通信システムである。
【００１４】
本発明に従えば、電話通信システムは、インターネットなどの情報通信ネットワークに接続されて予め電話番号などの識別情報が割当てられる複数の電話機間に、電話通信サービスを提供するために、各電話機について、その利用者と識別情報とを含むように予め定められる事項を登録する情報登録手段、およびその登録事項に関する情報を送受信する情報送受信手段を有する電話サービス手段を備える。情報送受信手段は、情報登録手段に登録されている特定の相手からその電話機に対する発呼を検出すると、発呼元の電話機に対して、情報登録手段に登録されているコマンド情報を送信するので、コマンド情報を指定した相手に確実に伝えることができる。各電話機は、電話サービス手段の情報送受信手段から受信するコマンド情報の内容を実行するコマンド実行手段を有するので、たとえば不在で後から再度発呼すべき旨などを、確実に伝えて実行させることができる。
【００１５】
また本発明で、前記コマンド情報には、通話要求先情報または通話要求時刻情報のうちの少なくとも一方が含まれることを特徴とする。
【００１６】
本発明に従えば、たとえば不在時に連絡先などを通話要求先情報で通知したり、不在でなくなる予定時刻等を通話要求時刻情報で通知することができる。
【００１７】
さらに本発明は、情報通信ネットワークを介して電話通信を行う複数の電話機について各電話機とその利用者との識別情報とを含むように予め定められる事項を登録し、登録事項とともに、各電話機に対し、特定の相手が発呼する際に通知すべきコマンド情報が登録され、該電話機に該特定の相手の電話機からアクセスを行う際に、登録されているコマンド情報を送信する電話通信サービスが提供される電話機であって、
発呼時に、発呼先の電話機に対して登録されているコマンド情報が送信されるとき、該コマンド情報を受信する情報受信手段と、
情報受信手段によって受信されるコマンド情報の内容を実行するコマンド実行手段とを含むことを特徴とする電話機である。
【００１８】
本発明に従えば、電話機は、複数の電話機相互間で、インターネットなどの情報通信ネットワークを介して電話通信を行うように、電話通信サービスの提供を受ける。電話通信サービスでは、各電話機とその利用者との識別情報とを含むように予め定められる事項を登録し、登録事項とともに、各電話機に対し、特定の相手が発呼する際に通知すべきコマンド情報が登録され、その電話機に特定の相手の電話機からアクセスを行う際に、登録されているコマンド情報を送信する電話通信サービスが提供される。電話機は、情報受信手段とコマンド実行手段とを含む。情報受信手段は、発呼時に、発呼先の電話機について登録されているコマンド情報が送信されるとき、そのコマンド情報を受信するので、発呼先の電話機によって登録されているコマンド情報を確実に受信することができる。コマンド実行手段は、情報受信手段によって受信されるコマンド情報の内容を実行するので、発呼先の電話機によって設定されるコマンド情報に従って、発呼元の電話機の動作を行わせることができる。
【００１９】
また本発明は、前記情報受信手段が前記コマンド情報を受信するとき、受信したコマンド情報の内容を報知する情報報知手段をさらに含むことを特徴とする。
【００２０】
本発明に従えば、情報報知手段によって、情報受信手段が受信するコマンド情報の内容を報知するので、電話機の利用者は、発呼先の電話機から要求されるコマンド情報の内容を知ることができる。
【００２１】
また本発明は、前記コマンド情報に、通話要求先情報または通話要求時刻情報のうちの少なくとも一方が含まれているとき、前記情報報知手段は、通話要求先情報が含まれていれば該通話要求先の電話機に、通話要求時刻情報が含まれていれば該通話要求時刻に、通話要求時刻情報が含まれていなければ、該コマンド情報の受信時に、発呼を促す旨を報知することを特徴とする。
【００２２】
本発明に従えば、発呼先が不在時などに、代りの通話先を通話要求先情報として指定したり、不在ではなくなると予想される時刻を通話要求時刻情報として指定して、通話要求時刻情報が含まれていればその指定時刻に、含まれていなければコマンド情報の受信時に、発呼を促す旨を報知するので、電話通話を成立させやすくすることができる。
【００２３】
また本発明は、前記コマンド情報に、通話要求先情報または通話要求時刻情報のうちの少なくとも一方が含まれているとき、前記コマンド実行手段は、通話要求先情報が含まれていれば該通話要求先の電話機に、通話要求時刻情報が含まれていれば該通話要求時刻に、通話要求時刻情報が含まれていなければ、該コマンド情報の受信時に、発呼を行うことを特徴とする。
【００２４】
本発明に従えば、発呼先が不在時などに、代りの通話先を通話要求先情報として指定したり、不在ではなくなると予想される時刻を通話要求時刻情報として指定して、通話要求時刻情報が含まれていればその指定時刻に、含まれていなければコマンド情報の受信時に、コマンド実行手段が発呼を行うので、電話をかけ直すコールバック機能を実現することができる。
【００２５】
また本発明で、前記コマンド実行手段は、前記情報受信手段によって受信するコマンド情報が予め指定する相手からの要求であるときのみ、該コマンド情報の内容を実行することを特徴とする。
【００２６】
本発明に従えば、コマンド情報の内容を、予め指定する相手からの要求であるときのみ実行するので、コマンド情報を受付ける相手を適正な範囲に制限することができる。
【００２７】
また本発明は、情報通信ネットワークを介して電話通信を行う複数の電話機について、各電話機とその利用者との識別情報とを含むように予め定められる事項を記録し、記録されている事項を参照可能な情報記録手段をさらに含み、
前記予め指定する相手は、情報記録手段の記録事項に基づいて指定可能であることを特徴とする。
【００２８】
本発明に従えば、情報記録手段に電話帳などとして記録している記録事項に基づいて、コマンド情報を受付ける相手を指定可能であるので、電話通話の機会の多い相手など、複数の相手も容易に指定することができる。
【００２９】
【発明の実施の形態】
本発明による電話通信サービス方法およびシステム、ならびに電話機について、実施の一形態を図１〜図７に基づいて以下に説明する。
【００３０】
図１は、電話機を中心とした電話通信システムの概略的な構成を示す。ネットワーク電話サービス手段１は、インターネットなどの情報通信ネットワーク２を介して電話機３が電話通信を行うためのサービスを提供する。電話機３と情報通信ネットワーク２との間は、通信回線４で接続される。通信回線４は、ＰＳＴＮの加入者線の本来の伝送帯域よりもブロードバンド化されて、高周波のデジタル信号を伝送することができるものを使用する。本実施形態では、加入者線をＡＤＳＬ技術でブロードバンド化して通信回線４として使用する。ＩＳＤＮ（Ｉｎｔｅｇｒａｔｅｄ  Ｓｅｒｖｉｃｅｓ  Ｄｉｇｉｔａｌ  Ｎｅｔｗｏｒｋ  ）や、ＦＴＴＨ（Ｆｉｂｅｒ  Ｔｏ  Ｔｈｅ  Ｈｏｍｅ  ）、ＣＡＴＶ（ＣＡｂｌｅ  ＴｅｌｅＶｉｓｉｏｎ）などを使用することもできる。専用のデータ通信線で接続することもできる。
【００３１】
電話機３内には、回線インタフェース５、データ送受信部６、システム制御部７、および音声処理部８が含まれ、情報通信ネットワーク２で電話通信を行うための基本的な機能を分担している。音声処理部８には、音声入力回路９および音声出力回路１０が含まれる。音声入力回路９は、マイク１１から入力される電話機３の利用者の音声信号を電気的に増幅し、デジタルデータに変換する。音声出力回路１０は、電話通信で受信するデジタル信号を音声信号に変換し、スピーカ１２から電話機３の利用者に聞こえる音声として出力する。
【００３２】
システム制御部７は、電話機３の全体的な制御を行い、電話機３の利用者とのインタフェースのために、表示部１３と操作部１４とを制御する。表示部１３は、情報報知手段として、利用者に対して表示によるコマンド情報の報知を行うことができる。電話帳１５には、情報記録手段として、情報通信ネットワーク２を介して電話通信を行う電話機に関し、電話番号などの識別情報や、その電話機の利用者や所有者などの個人情報が記録される。電話帳１５に記録されている情報は、発呼時などに参照可能であり、短縮番号や登録番号などの機能を設定したり、リストとして表示部１３に表示し、操作部１４の操作で選択して、電話番号の全部を入力しなくても、発呼を可能にする機能が設けられる。
【００３３】
システム制御部７は、コマンド情報に基づく動作のために、ＩＤ判定部１６、日時制御部１７、および予約制御部１８を制御する。ＩＤ判定部１６では、コマンド情報を受付ける相手の識別情報や電話番号などを判定する。日時制御部１７では、コマンド情報に含まれる日時に関する制御を行う。予約制御部１８では、コマンド情報に含まれる予約の機能を制御する。ＩＤ判定部１６、日時制御部１７および予約制御部１８は、予約情報記憶部１９を利用して動作を行う。
【００３４】
また、電話機３は、通信回線４として利用するＰＳＴＮの加入者線にも接続されるので、ＰＳＴＮを利用して電話通信を行う機能も備えている。通信回線４には、ＰＳＴＮのアナログ電話信号と高周波のデジタル電話信号とが重畳される。アナログ電話信号とデジタル電話信号とを分離するために、スプリッタと呼ばれるフィルタが使用される。
【００３５】
一方、図２は、図１のネットワーク電話サービス手段１を中心とした電話通信システムの概略的な構成を示す。ネットワーク電話サービス手段１は、情報通信ネットワーク２上で電話通信を行うための各種サービスを提供するＩＳＰなどの通信事業者によって設置されるサーバ装置であり、データ送受信部２１、システム制御部２２、ＩＤ判定部２３、および情報記憶部２４を含む。情報記憶部２４には、電話通信サービスを提供するように契約した利用者の識別情報としてのＩＤ情報２５と、電話機に対して付与されているＰＳＴＮの電話番号と情報通信ネットワーク２上でのアドレスなどとの対応関係を記憶している電話帳２６とが登録される。
【００３６】
図３は、図１の電話機３が情報通信ネットワーク２を介して電話通信を行う全体的な環境を示す。情報通信ネットワーク２は、インターネット３０の一部を構成する。ネットワーク電話サービス手段１は、情報通信ネットワーク２に接続されるサーバ３１上に形成される。電話機３は、ＡＤＳＬでブロードバンド化した通信回線４を介して、サーバに接続される。情報通信ネットワーク２には、ゲートウェイ３２なども設けられる。インターネット３０には、他にも多くの情報通信ネットワーク３３が含まれる。他の情報通信ネットワーク３３にもゲートウェイ３４などが設けられる。
【００３７】
電話機３は、ネットワーク電話サービス手段１から提供される電話通信サービスを利用して、他の電話機４０，４１と電話通信を行うことができる。前述のように、電話機３には、通信回線４として使用するＰＳＴＮのお加入者線からＰＳＴＮ４５，４６，４７を介して、電話機４０，４８と電話通信を行うことができる。電話機４０は、電話機３と同様に、インターネット３０を介しても、ＰＳＴＮ４５，４６，４７を介しても電話通信が可能である。
【００３８】
通信回線４は交換機５０に接続される。交換機５０にもスプリッタが設けられ、高周波のデジタル信号は、ＢＡＳ（Ｂｒｏａｄｂａｎｄ  Ａｃｃｅｓｓ  Ｓｅｒｖｅｒ  ）などを介して情報通信ネットワーク２のサーバ３１に伝送される。スプリッタで分離される低周波のアナログ電話信号は、ＰＳＴＮ４５，４６，４７側を伝送される。電話機４０が接続される交換機５１は、情報通信ネットワーク３３のゲートウェイ３４とＰＳＴＮ４７とに接続先を切換えることができる。電話機４１は、交換機５２およびゲートウェイ３２を介してサーバ３１に接続される。電話機４８は、ＰＳＴＮ４６に接続される。図示を省略しているけれども、他にも多くの電話機が種々の接続形態でインターネット３０またはＰＳＴＮ４５，４６，４７を介して接続され、電話機３から電話番号で呼出し、電話通信を行うことができる。
【００３９】
ネットワーク電話サービス手段１の電話帳２６には、インターネット３０を介して相互に電話通信が可能な電話機３，４０，４１について、電話番号とインターネット３０上でのＩＰアドレスとの対応関係がデータベースとして登録されている。サーバ３１に接続される電話機３，４１が電話番号を指定して発呼を行うと、ネットワーク電話サービス手段１は、電話帳２６を参照して、電話番号をＩＰアドレスに変換し、発呼先を呼出し、相互間の電話通信の中継を行う。
【００４０】
電話帳２６には、各電話機毎の登録事項に含めて、相手を指定してコマンド情報を保存することができる。ネットワーク電話サービス手段１は、各電話機からコマンド情報を送信すべき特定の相手についての電話番号などの情報と、コマンド情報とを受付け、電話帳２６に登録する。登録してある相手が登録元の電話機に対して発呼するときに、ネットワーク電話サービス手段１によって検知され、コマンド情報が伝達される。
【００４１】
図４は、図３の電話機３，４１をＡ，Ｂとしてそれぞれ示し、ＢからＡを指定して通信要求があった場合の遷移のシーケンスを概略的に示す。電話機４１の構成は電話機３と同様であるとする。遷移１０１では、Ｂの電話機がネットワーク電話サービス手段１に対し、通話要求表示のコマンド情報の登録を行う。同時に送信相手を指定する場合はＩＤも登録する。図１に示すような操作部１４よりコマンドと通話要求情報、およびＩＤが入力され、システム制御部７を介してデータ送受信部６へと渡される。ＩＤは、ネットワーク電話サービス手段１を利用するために、ＩＳＰなどから付与される識別情報である。これらのコマンド情報は回線インタフェース５、通信回線４から情報通信ネットワーク２へと送られ、ネットワーク電話サービス手段１に渡される。
【００４２】
遷移１０２では、ネットワーク電話サービス手段１において、情報送受信手段であるデータ送受信部２１で受信した情報がシステム制御部２２からＩＤ判定部２３でＩＤを判定され、ネットワークサービス手段１を利用することが可能な契約者からの変更情報であるか否かが確認される。ネットワーク電話サービス手段１は、ＩＤ確認後、情報登録手段である情報記憶部２４の電話帳２６に通話要求をメッセージとして登録する。このとき、遷移１０１で相手のＩＤを付与していれば、通話要求を行う相手を宛先として指定することができる。なお、相手を指定する際には、電話帳１５を利用することができる。電話帳１５に記録されている電話番号の全部を自動的に指定したり、リスト表示して選択して指定するようにしてもよい。
【００４３】
Ａの電話機が遷移１０３で、電話帳１５を参照してＢの電話機に発呼すると、遷移１０４で、ネットワーク電話サービス手段１は、Ｂの電話機の電話番号を発呼先として検出し、発呼元のＡの電話機が宛先として指定されていることを確認すると、Ａの電話機に対して、遷移１０５で発信者に対する通話要求のコマンド情報を送信する。Ａの電話機は、遷移１０６で、ネットワーク電話サービス手段１からの情報を情報受信手段としてのデータ送受信部６で受信すると、情報報知手段としての表示部１３でその内容を表示する。
【００４４】
図５は、図４に示すような通話要求ではなく、コマンドによる設定要求があった場合の遷移のシーケンスを概略的に示す。遷移２０１では、Ｂの電話機からネットワーク電話サービス手段１に対し、「アラーム起動」のコマンドと「９：００に電話してください」との通話要求登録を行う。同時に送信相手を指定する場合は、そのＩＤも登録する。操作部１４よりコマンドと通話要求情報、およびＩＤを入力し、システム制御部７を介してデータ送信部６へと渡される。このコマンド情報は回線インタフェース５、通信回線４からネットワーク２へと送られ、ネットワーク電話サービス手段１に渡される。ネットワーク電話サービス手段１において、遷移２０２で、データ送受信部２１で受信した情報は、システム制御部２２によりＩＤ判定部２３にてＩＤを判定し、確認後情報記憶部２４にメッセージとして登録する。
【００４５】
Ａの電話機が遷移２０３で電話帳１５を参照してＢの電話機に発呼すると、ネットワーク電話サービス手段１は、遷移２０４で、Ｂの電話機の電話番号を検出し、ＩＤ判定部２３にて発呼元の電話機について判定する。宛先として指定されているＡの電話機からの発呼であることを確認すると、遷移２０５で、発信者に対し、メッセージとして登録されている通話要求を送信する。Ａの電話機は、遷移２０６で、ネットワーク電話サービス手段１から通話要求を受信すると、その内容を表示する。次に遷移２０７で、ＩＤ確認によりＢの電話機がＡの電話機にコマンド情報を設定することが許可されていることが確認されれば、遷移２０８で「アラーム起動」のコマンドを受付け、予約制御部１８が予約情報記憶部１９にアラームを設定する。遷移２０９で通話要求時刻になり、Ａの電話機の日時制御部１７が予約制御部１８の予約の時間を検知すると、予約情報記憶部１９のアラーム起動の情報から、予約制御部１８によりシステム制御部７がコマンド実行手段として動作し、タイマでアラーム起動となる。
【００４６】
図６は、コマンドによる設定要求とコールバック設定があった場合の遷移のシーケンスを概略的に示す。遷移３０１で、Ｂの電話機がネットワーク電話サービス手段１に対し、「アラーム起動」と「９：００コールバック」との通話要求コマンド登録を行う。同時に送信相手を指定する場合は、ＩＤも登録する。操作部１４よりコマンドと通話要求情報、およびＩＤを入力し、システム制御部７を介してデータ送信部６へと渡される。このコマンド情報は回線インタフェース５、通信回線４からネットワーク２へと送られ、ネットワーク電話サービス手段１に渡される。ネットワーク電話サービス手段１において、遷移３０２で、データ送受信部２１で受信したコマンド情報は、システム制御部２２によりＩＤ判定部２３にてＩＤを判定し、確認後情報記憶部２４にメッセージとして登録する。
【００４７】
Ａの電話機が電話帳１５を参照して、遷移３０３でＢの電話機に対して発呼すると、ネットワーク電話サービス手段１は、遷移３０４でＢの電話機の電話番号を検出し、ＩＤ判定部２３にて発呼元の電話機の電話番号などのＩＤを判定する。宛先と指定されているＡの電話機からの発呼であることを確認すると、遷移３０５で、登録されているメッセージに基づき、発信者に対する通話要求を送信する。Ａの電話機は、ネットワーク電話サービス手段１から遷移３０６で通話要求を受信すると、その内容を表示する。遷移３０７でのＩＤ確認により、Ｂの電話機がＡの電話機にコマンドを設定することが許可されていることが確認されれば、遷移３０８で「アラーム起動」と「９：００コールバック」とのコマンドを受付け、予約情報記憶部１９にアラーム・コールバックを設定する。遷移３０９で通話要求時刻になり、Ａの電話機の日時制御部１７が予約制御部１８の予約の時間を検知すると、予約情報記憶部１９のアラーム・コールバック起動の情報から、予約制御部１８によりシステム制御部７が動作し、タイマアラームとコールバックとが起動される。コールバック起動により、遷移３１０で、Ａの電話機からＢの電話機への発呼が実行される。
【００４８】
なお、通話要求コマンドに時刻の指定がない場合は、直ちに発呼すればよい。発呼先として、Ｂの電話機とは異なる通話要求先を指定することもできる。
【００４９】
図７は、本発明の実施の他の形態として、インターネットに接続するサーバ６０に設けるネットワーク電話サービス手段６１によって提供するサービスを示す。ネットワーク電話サービス手段６１には、電話帳２６と同様に、電話機３，４１についての電話番号とＩＰアドレスとの対応関係の情報を登録してある電話帳６２が備えられる。サーバ６０を開設しているＩＳＰからサービスの提供を受ける利用者が、たとえば電話機３から電話機４１に対して発呼を行う際には、電話機４１の電話番号を指定して、▲１▼に示すようにサーバ６０のネットワーク電話サービス手段６１に問い合せる。ネットワーク電話サービス手段６１は、電話帳６２を参照し、指定された電話番号に対応するＩＰアドレスを、▲２▼に示すように返答する。電話機３は、返答されたＩＰアドレスに対して、▲３▼に示すように直接アクセスし、電話機４１を呼出す。▲４▼に示すように、電話機４１が電話機３に応答すると、電話通信が可能になる。
【００５０】
このようなサービス形態でも、電話機３，４１について、たとえば一時的な不在で、通話先を電話機４１ａに変更するようなコマンドを電話帳６２の登録事項にメッセージとして登録しておけば、前述の実施形態と同様に、ネットワーク電話サービス手段６１に指定された相手が電話番号を指定して▲１▼のように問い合せる際に、コマンド情報を伝えることができる。これによって、破線で示すように、一時的な通話先である電話機４１ａに対して通話を行うことができる。
【００５１】
なお、コマンドの登録は、端末である電話機３の電話帳１５に対して行うことができる。電話機３では、コマンドの設定を受付ける相手を、ＩＤ情報で制限することもできる。すなわち、本発明では、相手に電話をかけたとき、通話をしたい旨のコマンドをサーバあるいは相手端末等に発行し、ネットワーク電話サービス手段１，６１あるいは相手端末等から後からかけてほしい旨の応答が返ってきたときは下記のように動作する。
（１）後からかけてほしい旨の表示をする。
（２）かけ直してほしい旨を表示し、識別情報であるＩＤが一致したらアラーム等が設定され、電話することを使用者に報知する。
（３）かけ直してほしい旨が表示され、識別情報であるＩＤが一致したら、かけ直してほしい時刻に自動的にコールバックが設定される。
【００５２】
また、ネットワーク電話サービス手段１，６１に登録された情報に開示先を限定する条件を設けることもできる。
【００５３】
このような本発明により、以下の効果がもたらされる。
（１）不在時などで電話連絡をとる場合、相手に応じたメッセージを表示し、特定の相手にだけかけ直してほしい旨を伝えることが可能である。
（２）認証されている場合は発呼先の電話機にアラームやコールバックを設定することが可能であり、不在の場合も発呼先の相手と確実に連絡を取ることができる。
（３）ネットワーク電話サービス手段１，６１に登録された種々のコマンド情報に対して、登録者が開示相手を特定できるようにすることによって、利便性とプライバシーの保護など、利用者の選択幅が大きく広がり、大きな効果が得られる。
【００５４】
【発明の効果】
以上のように本発明によれば、インターネットなどの情報通信ネットワークに接続される電話機から特定の相手に対するコマンド情報を受付け、各電話機についての登録事項にコマンド情報や特定の相手についての情報を登録しておき、その特定の相手からコマンド情報を登録した電話機に対する発呼があると、発呼元の電話機に対して、コマンド情報を送信するので、コマンド情報を容易かつ確実に特定の相手としての他の電話機利用者に伝えることができる。たとえば、不在時などで電話連絡をとる場合、相手に応じたメッセージを表示し、特定の相手にだけかけ直してほしい旨を伝えることが可能となる。
【００５５】
また本発明によれば、たとえば不在時に連絡先などを通話要求先情報で通知したり、不在でなくなる予定時刻等を通話要求時刻情報で通知することができる。
【００５６】
さらに本発明によれば、電話通信システムは、インターネットなどの情報通信ネットワークに接続されて予め電話番号などの識別情報が割当てられる複数の電話機間で、電話機について相手を指定してコマンド情報を登録し、指定された相手からその電話機に対する発呼を検出すると、発呼元の電話機に対して、登録されているコマンド情報を送信するので、コマンド情報を指定した相手に確実に伝えることができる。各電話機は、受信するコマンド情報の内容を実行するので、たとえば不在で後から再度発呼すべき旨などを、確実に伝えて実行させることができる。
【００５７】
さらに本発明によれば、電話機は、複数の電話機相互間で、インターネットなどの情報通信ネットワークを介して電話通信を行うように、電話通信サービスの提供を受ける。電話通信サービスでは、各電話機に対し、特定の相手が発呼する際に通知すべきコマンド情報が登録され、その電話機に特定の相手の電話機からアクセスを行う際に、登録されているコマンド情報を送信するサービスも提供される。各電話機は、発呼時に、発呼先の電話機によって登録されているコマンド情報を確実に受信して、コマンド情報の内容を実行することができる。
【００５８】
また本発明によれば、電話機の利用者は、発呼先の電話機から要求されるコマンド情報の内容を知ることができる。
【００５９】
また本発明によれば、発呼先が不在時などに、代りの通話先が指定されたり、不在ではなくなると予想される時刻が指定され、通話要求時刻情報が含まれていればその指定時刻に、含まれていなければコマンド情報の受信時に、発呼を促す旨を報知するので、電話通話を成立させやすくすることができる。
【００６０】
また本発明によれば、発呼先が不在時などに、代りの通話先が指定されたり、不在ではなくなると予想される時刻が指定され、通話要求時刻情報が含まれていればその指定時刻に、含まれていなければコマンド情報の受信時に、電話をかけ直すコールバック機能を実現することができる。
【００６１】
また本発明によれば、コマンド情報を受付ける相手を適正な範囲に制限することができる。
【００６２】
また本発明によれば、コマンド情報を受付ける相手の指定を、電話帳機能などを利用して容易に行うことができる。
【図面の簡単な説明】
【図１】本発明の実施の一形態による電話通信システムの概略的な構成を、電話機３側を中心として示すブロック図である。
【図２】図１の電話通信システムの概略的な構成を、ネットワーク電話サービス手段１側を中心として示すブロック図である。
【図３】図１の電話通信システムの全体的な環境を、簡略化して示すブロック図である。
【図４】図１および図２の電話通信システムで、通話要求のコマンド情報の登録を行う場合の状態遷移図である。
【図５】図１および図２の電話通信システムで、アラーム起動と通話要求のコマンド情報の登録を行う場合の状態遷移図である。
【図６】図１および図２の電話通信システムで、アラーム起動と通話要求とコールバックのコマンド情報の登録を行う場合の状態遷移図である。
【図７】本発明の実施の他の形態による電話通信システムの概略的な構成を示すブロック図である。
【符号の説明】
１，６１  ネットワーク電話サービス手段
２，３３  情報通信ネットワーク
３，４０，４１，４１ａ，４８  電話機
４  通信回線
６，２１  データ送受信部
７，２２  システム制御部
８  音声処理部
１３  表示部
１４  操作部
１５，２６  電話帳
１６，２３  ＩＤ判定部
１７  日時制御部
１８  予約制御部
１９  予約情報記憶部
２４  情報記憶部
３０  インターネット
３１，６０  サーバ
【図１】
2004172985.tif 000003
【図２】
2004172985.tif 000004
【図３】
2004172985.tif 000005
【図４】
2004172985.tif 000006
【図５】
2004172985.tif 000007
【図６】
2004172985.tif 000008
【図７】
2004172985.tif 000009